(57)【要約】  【課題】  光ディスクのメニューをハードディスクに保持させておくことで、どの光ディスクにどのタイトルが入っているかを検索しやすくすることができる機能を有する複合型記録再生装置を提供する。  【解決手段】  光ディスク装置２で再生された光ディスク１３からディスクメニュー画が取り込まれ、ハードディスク１４に記録されると共に、ディスク名がフラッシュＲＯＭ６に記憶される。前記ディスクメニュー画が順番にサムネイル表示され、その選択項目がハイライト表示される。キー操作によって選択されたディスクメニュー画がハードディスク１４から取り出され全画面表示され、前記ディスクメニュー画のハイライトにてタイトル選択されたディスクメニュー画を有する光ディスクが前記ディスク名の光ディスク１３であれば、光ディスク１３から指定されたタイトルがサーチされ、再生が開始される。【選択図】      図１
2007018655.tif 000002
【特許請求の範囲】
【請求項１】
光ディスクに記録された情報を再生、または光ディスクに対して情報の記録／再生を行
う光ディスク装置と、ハードディスクに対して情報の記録／再生を行うハードディスク装
置とを備えた複合型記録再生装置において、
前記光ディスク装置により再生された光ディスクからディスクメニュー画をサーチする
ディスクメニュー画サーチ手段、前記サーチしたディスクメニュー画を取り込み前記ハー
ドディスク装置を介してハードディスクに記録させるディスクメニュー画記録手段、およ
び前記取り込んだディスクメニュー画を有する光ディスクに装置内部的に付けられたディ
スク名をメモリに記憶させるディスク名記憶手段を有するメニュー画取り込み処理部と、
前記取り込んだディスクメニュー画を順番にサムネイル表示させるサムネイル表示手段
、および前記サムネイル表示された項目を選択するためのハイライト表示用のＯＳＤを項
目に重畳させるＯＳＤ重畳手段を有するメニュー画一覧表示処理部と、
キー操作によって選択されたディスクメニュー画を前記メモリに記憶されたディスク名
に従って前記ハードディスク装置を介して前記ハードディスクから取り出して全画面表示
させる全画面表示手段、前記ディスクメニュー画のハイライトにてタイトル選択されたか
否かを判定するタイトル選択判定手段、前記タイトル選択されたディスクメニュー画を有
する光ディスクの挿入要求の表示を行うディスク挿入要求表示手段、前記ディスク名によ
り正しい光ディスクが挿入されたか否かを判定するディスク判定手段、前記正しい光ディ
スクが挿入されていないと判定されたときにエラー表示を行うエラー表示手段、および前
記正しい光ディスクが挿入されたと判定されたときに前記正しい光ディスクに対して情報
の読み出しを行って指定されたタイトルをサーチし再生を開始させる再生開始手段を有す
る再生制御部とを備えたことを特徴とする複合型記録再生装置。
【請求項２】
光ディスクに記録された情報を再生、または光ディスクに対して情報の記録／再生を行
う光ディスク装置と、ハードディスクに対して情報の記録／再生を行うハードディスク装
置とを備えた複合型記録再生装置において、
前記光ディスク装置により再生された光ディスクからディスクメニュー画を、取り込み
、前記ハードディスク装置を介してハードディスクに記録させると共に、前記取り込んだ
ディスクメニュー画を有する光ディスクに装置内部的に付けられたディスク名をメモリに
記憶させるメニュー画取り込み処理部と、
前記取り込んだディスクメニュー画を順番にサムネイル表示させるサムネイル表示手段
、および前記サムネイル表示された項目を選択するためのハイライト表示用のＯＳＤを項
目に重畳させるＯＳＤ重畳手段を有するメニュー画一覧表示処理部と、
キー操作によって選択されたディスクメニュー画を前記ハードディスクから取り出して
全画面表示させ、前記ディスクメニュー画のハイライトにてタイトル選択されたディスク
メニュー画を有する光ディスクが前記ディスク名の光ディスクであれば、この光ディスク
から指定されたタイトルをサーチして再生を開始させる再生制御部とを備えたことを特徴
とする複合型記録再生装置。
【請求項３】
前記メニュー画取り込み処理部は、光ディスク装置により再生された光ディスクからデ
ィスクメニュー画をサーチするディスクメニュー画サーチ手段、前記サーチしたディスク
メニュー画を取り込みハードディスク装置を介してハードディスクに記録させるディスク
メニュー画記録手段、および前記取り込んだディスクメニュー画を有する光ディスクに装
置内部的に付けられたディスク名をメモリに記憶させるディスク名記憶手段を有すること
を特徴とする請求項２に記載の複合型記録再生装置。
【請求項４】
前記再生制御部は、キー操作によって選択されたディスクメニュー画をメモリに記憶さ
れたディスク名に従ってハードディスク装置を介してハードディスクから取り出して全画
面表示させる全画面表示手段、前記ディスクメニュー画のハイライトにてタイトル選択さ
れたか否かを判定するタイトル選択判定手段、前記タイトル選択されたディスクメニュー
画を有する光ディスクの挿入要求の表示を行うディスク挿入要求表示手段、前記ディスク
名により正しい光ディスクが挿入されたか否かを判定するディスク判定手段、前記正しい
光ディスクが挿入されていないと判定されたときにエラー表示を行うエラー表示手段、お
よび前記正しい光ディスクが挿入されたと判定されたときに前記正しい光ディスクに対し
て情報の読み出しを行って指定されたタイトルをサーチし再生を開始させる再生開始手段
を有することを特徴とする請求項２に記載の複合型記録再生装置。
【発明の詳細な説明】
【技術分野】
【０００１】
本発明は、光ディスクに記録された情報を再生、または光ディスクに対して情報の記録
／再生を行う光ディスク装置と、ハードディスクに対して情報の記録／再生を行うハード
ディスク装置とを備えた複合型記録再生装置に関し、特に、光ディスクに記録された内容
を検索する処理に関する。
【背景技術】
【０００２】
近年、光ディスクに記録された情報を再生、または光ディスクに対して情報の記録／再
生を行う光ディスク装置と、ハードディスクに対して情報の記録／再生を行うハードディ
スク装置とを備えた複合型記録再生装置が普及してきている。このような複合型記録再生
装置では、光ディスクに記録された情報を再生する場合は、リモコンを操作して動作モー
ドを光ディスク装置側に切り換えて、再生リストをモニタ装置（テレビ受信機など）に表
示させ、その再生リストから視聴したい情報を選んで再生を行っている。また、ハードデ
ィスクに記録された情報を再生する場合は、リモコンを操作して動作モードをハードディ
スク装置側に切り換えて、同じく再生リストをモニタ装置に表示させ、その再生リストか
ら視聴したい情報を選んで再生を行っている。
【特許文献１】特開２００４−１５１１５号公報
【特許文献２】特開２００１−２４３７４９号公報
【特許文献３】特開２００３−５９２４７号公報
【発明の開示】
【発明が解決しようとする課題】
【０００３】
前述したように、光ディスクの再生リストを見るには、リモコンを操作して光ディスク
装置側に動作モードを切り換え、また、ハードディスクの再生リストを見るには、リモコ
ンを操作してハードディスク装置側に動作モードを切り換えているが、光ディスクの再生
リストを見るには、その光ディスクを光ディスク装置に挿入しなければならないので、ユ
ーザにとっては、使い勝手が悪かった。
【０００４】
そこで、特許文献１に示されるデジタル複合再生装置では、電源投入時にＤＶＤ再生装
置およびハードディスク記録再生装置が再生可能なコンテンツを検索すると共に、チュー
ナが受信可能な放送チャンネルをメモリから読み出し、視聴可能なコンテンツを統合表示
したコンテンツ情報リストを作成している。しかしながら、ユーザが個人で所有する光デ
ィスク（情報の記録済みの光ディスク）の枚数が多くなると、前記のような統合表示した
コンテンツ情報リストでは、ハードディスクの再生リストのリスト項目や放送チャンネル
のリスト項目も含まれるので、光ディスクの再生リストとしては、かえって見にくくなり
、また、光ディスク名とメニュー画が同時に表示される訳ではないので、ユーザにとって
は使い勝手が悪いという課題が生じる。
【０００５】
また、光ディスクがＤＶＤ再生装置に挿入されていれば、その光ディスクに記録されて
いるコンテンツの中で、再生可能なコンテンツを検索して、このコンテンツを含むコンテ
ンツ情報リストを見ることができるが、光ディスクが挿入されていない場合には、その光
ディスクの再生リストを見ることができないので、ユーザにとっては不便であるという課
題が生じる。
【０００６】
なお、特許文献２の従来技術は、ハードディスクのリストに登録したい音楽情報が記録
されているフォルダまでのパスおよび音楽情報を、液晶ディスプレイに表示されるメニュ
ーから操作パネルを用いてユーザが選択することによって、トラック名およびアルバム名
をリストに登録し、作成されたリストをハードディスクに記録する。そして、音楽情報を
再生または出力する際には、ユーザは記録されたリストを選択し、リストに記録されてい
る音楽情報のトラック名およびアルバム名に基づいて、音楽情報がハードディスクから検
出され、再生または出力されるようになっているが、この従来技術も、光ディスクが挿入
されていない場合には、その光ディスクの再生リストを見ることができないので、ユーザ
にとっては不便であるという課題が生じる。
【０００７】
また、特許文献３の従来技術は、ディスクメディアに記録されているコンテンツの数を
ブロックで明示的に表示し、タイトルを参照しながら、再生したいコンテンツブロックを
選択することで、容易に所望のコンテンツの頭出し再生をできるようにしているが、光デ
ィスクに記録された情報を再生、または光ディスクに対して情報の記録／再生を行う光デ
ィスク装置と、ハードディスクに対して情報の記録／再生を行うハードディスク装置とを
備えた複合型記録再生装置に関するものではない。
【０００８】
本発明は、上記のような課題を解決するためになされたもので、光ディスク装置とハー
ドディスク装置との複合型記録再生装置において、光ディスクのメニューをハードディス
クに保持させておくことで、どの光ディスクにどのタイトルが入っているかを検索しやす
くすることができる機能を有する複合型記録再生装置を提供することを目的とする。
【課題を解決するための手段】
【０００９】
上記目的を達成するために、請求項１の発明は、光ディスクに記録された情報を再生、
または光ディスクに対して情報の記録／再生を行う光ディスク装置と、ハードディスクに
対して情報の記録／再生を行うハードディスク装置とを備えた複合型記録再生装置におい
て、前記光ディスク装置により再生された光ディスクからディスクメニュー画をサーチす
るディスクメニュー画サーチ手段、前記サーチしたディスクメニュー画を取り込み前記ハ
ードディスク装置を介してハードディスクに記録させるディスクメニュー画記録手段、お
よび前記取り込んだディスクメニュー画を有する光ディスクに装置内部的に付けられたデ
ィスク名をメモリに記憶させるディスク名記憶手段を有するメニュー画取り込み処理部と
、前記取り込んだディスクメニュー画を順番にサムネイル表示させるサムネイル表示手段
、および前記サムネイル表示された項目を選択するためのハイライト表示用のＯＳＤを項
目に重畳させるＯＳＤ重畳手段を有するメニュー画一覧表示処理部と、キー操作によって
選択されたディスクメニュー画を前記メモリに記憶されたディスク名に従って前記ハード
ディスク装置を介して前記ハードディスクから取り出して全画面表示させる全画面表示手
段、前記ディスクメニュー画のハイライトにてタイトル選択されたか否かを判定するタイ
トル選択判定手段、前記タイトル選択されたディスクメニュー画を有する光ディスクの挿
入要求の表示を行うディスク挿入要求表示手段、前記ディスク名により正しい光ディスク
が挿入されたか否かを判定するディスク判定手段、前記正しい光ディスクが挿入されてい
ないと判定されたときにエラー表示を行うエラー表示手段、および前記正しい光ディスク
が挿入されたと判定されたときに前記正しい光ディスクに対して情報の読み出しを行って
指定されたタイトルをサーチし再生を開始させる再生開始手段を有する再生制御部とを備
えたことを特徴とする複合型記録再生装置を提供する。
【００１０】
この構成においては、メニュー画取り込み処理部により次の処理が行われる。光ディス
ク装置により再生された光ディスクからディスクメニュー画がサーチされ、このサーチし
たディスクメニュー画が取り込まれ、ハードディスク装置を介してハードディスクに記録
されると共に、前記取り込んだディスクメニュー画を有する光ディスクに装置内部的に付
けられたディスク名がメモリに記憶される。
【００１１】
また、メニュー画一覧表示処理部により次の処理が行われる。前記取り込んだディスク
メニュー画が順番にサムネイル表示され、前記サムネイル表示された項目を選択するため
のハイライト表示用のＯＳＤが項目に重畳される。
【００１２】
更に、再生制御部により次のような処理が行われる。キー操作によって選択されたディ
スクメニュー画は、前記メモリに記憶されたディスク名に従ってハードディスク装置を介
して前記ハードディスクから取り出され、全画面表示される。前記ディスクメニュー画の
ハイライトにてタイトル選択されたディスクメニュー画を有する光ディスクの挿入要求の
表示が行われ、正しい光ディスクが挿入されていないと判定されたときには、エラー表示
されるが、正しい光ディスクが挿入されたと判定されたときには、その正しい光ディスク
に対して情報の読み出しが行われ、指定されたタイトルがサーチされ、再生が開始される
。
【００１３】
この構成によれば、ユーザ個人で所有する光ディスク（特にユーザ作成の光ディスク）
などは、枚数が多くなっても、光ディスクの名前と光ディスクのメニュー画とを登録して
おくことで、どの光ディスクにどのタイトルが入っているかを検索しやすくなり、また、
各光ディスクの内容を調べるのに光ディスクを装置に挿入しなくても調べることができ、
その分、ユーザは手間を省け、使い勝手が良くなる。
【００１４】
請求項２の発明は、光ディスクに記録された情報を再生、または光ディスクに対して情
報の記録／再生を行う光ディスク装置と、ハードディスクに対して情報の記録／再生を行
うハードディスク装置とを備えた複合型記録再生装置において、前記光ディスク装置によ
り再生された光ディスクからディスクメニュー画を、取り込み、前記ハードディスク装置
を介してハードディスクに記録させると共に、前記取り込んだディスクメニュー画を有す
る光ディスクに装置内部的に付けられたディスク名をメモリに記憶させるメニュー画取り
込み処理部と、前記取り込んだディスクメニュー画を順番にサムネイル表示させるサムネ
イル表示手段、および前記サムネイル表示された項目を選択するためのハイライト表示用
のＯＳＤを項目に重畳させるＯＳＤ重畳手段を有するメニュー画一覧表示処理部と、キー
操作によって選択されたディスクメニュー画を前記ハードディスクから取り出して全画面
表示させ、前記ディスクメニュー画のハイライトにてタイトル選択されたディスクメニュ
ー画を有する光ディスクが前記ディスク名の光ディスクであれば、この光ディスクから指
定されたタイトルをサーチして再生を開始させる再生制御部とを備えたことを特徴とする
複合型記録再生装置を提供する。
【００１５】
この構成においては、光ディスク装置により再生された光ディスクからディスクメニュ
ー画が取り込まれ、ハードディスク装置を介してハードディスクに記録される。また、前
記取り込んだディスクメニュー画を有する光ディスクに装置内部的に付けられたディスク
名がメモリに記憶される。前記取り込んだディスクメニュー画は順番にサムネイル表示さ
れ、このサムネイル表示された項目を選択するためのハイライト表示用のＯＳＤが項目に
重畳される。キー操作によって選択されたディスクメニュー画がハードディスクから取り
出され、全画面表示され、前記ディスクメニュー画のハイライトにてタイトル選択された
ディスクメニュー画を有する光ディスクが前記ディスク名の光ディスクであれば、この光
ディスクから指定されたタイトルがサーチされ、再生が開始される。
【００１６】
この構成によれば、ユーザ個人で所有する光ディスク（特にユーザ作成の光ディスク）
などは、枚数が多くなっても、光ディスクの名前と光ディスクのメニュー画とを登録して
おくことで、どの光ディスクにどのタイトルが入っているかを検索しやすくなり、また、
各光ディスクの内容を調べるのに光ディスクを装置に挿入しなくても調べることができ、
その分、ユーザは手間を省け、使い勝手が良くなる。
【００１７】
請求項３の発明では、請求項２の発明において、前記メニュー画取り込み処理部は、前
記光ディスク装置により再生された光ディスクからディスクメニュー画をサーチするディ
スクメニュー画サーチ手段、前記サーチしたディスクメニュー画を取り込み前記ハードデ
ィスク装置を介してハードディスクに記録させるディスクメニュー画記録手段、および前
記取り込んだディスクメニュー画を有する光ディスクに装置内部的に付けられたディスク
名をメモリに記憶させるディスク名記憶手段を有する。
【００１８】
したがって、前記メニュー画取り込み処理部は、ディスクメニュー画サーチ処理、ディ
スクメニュー記録処理、およびディスクメニュー名記憶処理を実現でき、これにより、デ
ィスクメニュー画をハードディスクに取り込むことができ、また、ディスク名をメモリに
記憶させることができる。
【００１９】
請求項４の発明では、請求項２の発明において、前記再生制御部は、キー操作によって
選択されたディスクメニュー画を前記メモリに記憶されたディスク名に従って前記ハード
ディスク装置を介して前記ハードディスクから取り出して全画面表示させる全画面表示手
段、前記ディスクメニュー画のハイライトにてタイトル選択されたか否かを判定するタイ
トル選択判定手段、前記タイトル選択されたディスクメニュー画を有する光ディスクの挿
入要求の表示を行うディスク挿入要求表示手段、前記ディスク名により正しい光ディスク
が挿入されたか否かを判定するディスク判定手段、前記正しい光ディスクが挿入されてい
ないと判定されたときにエラー表示を行うエラー表示手段、および前記正しい光ディスク
が挿入されたと判定されたときに前記正しい光ディスクに対して情報の読み出しを行って
指定されたタイトルをサーチし再生を開始させる再生開始手段を有する。
【００２０】
したがって、前記再生制御部は、全画面表示処理、タイトル選択判定処理、ディスク挿
入要求表示処理、ディスク判定処理、エラー表示処理、および再生開始処理を実現でき、
これにより、ハードディスクに記録されているディスクメニュー画から選択された光ディ
スクの名前の光ディスクが光ディスク装置に挿入されている光ディスクであれば、その光
ディスクの指定されたタイトルをサーチして再生を開始させることが可能になる。
【発明の効果】
【００２１】
以上のように本発明によれば、光ディスクに記録された情報を再生、または光ディスク
に対して情報の記録／再生を行う光ディスク装置と、ハードディスクに対して情報の記録
／再生を行うハードディスク装置とを備えた複合型記録再生装置において、前記光ディス
ク装置により再生された光ディスクからディスクメニュー画をサーチするディスクメニュ
ー画サーチ手段、前記サーチしたディスクメニュー画を取り込み前記ハードディスク装置
を介してハードディスクに記録させるディスクメニュー画記録手段、および前記取り込ん
だディスクメニュー画を有する光ディスクに装置内部的に付けられたディスク名をメモリ
に記憶させるディスク名記憶手段を有するメニュー画取り込み処理部と、前記取り込んだ
ディスクメニュー画を順番にサムネイル表示させるサムネイル表示手段、および前記サム
ネイル表示された項目を選択するためのハイライト表示用のＯＳＤを項目に重畳させるＯ
ＳＤ重畳手段を有するメニュー画一覧表示処理部と、キー操作によって選択されたディス
クメニュー画を前記メモリに記憶されたディスク名に従って前記ハードディスク装置を介
して前記ハードディスクから取り出して全画面表示させる全画面表示手段、前記ディスク
メニュー画のハイライトにてタイトル選択されたか否かを判定するタイトル選択判定手段
、前記タイトル選択されたディスクメニュー画を有する光ディスクの挿入要求の表示を行
うディスク挿入要求表示手段、前記ディスク名により正しい光ディスクが挿入されたか否
かを判定するディスク判定手段、前記正しい光ディスクが挿入されていないと判定された
ときにエラー表示を行うエラー表示手段、および前記正しい光ディスクが挿入されたと判
定されたときに前記正しい光ディスクに対して情報の読み出しを行って指定されたタイト
ルをサーチし再生を開始させる再生開始手段を有する再生制御部とを備えたので、ユーザ
個人で所有する光ディスク（特にユーザ作成の光ディスク）などは、枚数が多くなっても
、光ディスクの名前と光ディスクのメニュー画とを登録しておくことで、どの光ディスク
にどのタイトルが入っているかを検索しやすくなり、また、各光ディスクの内容を調べる
のに光ディスクを装置に挿入しなくても調べることができ、その分、ユーザは手間を省け
、使い勝手が良くなる。
【００２２】
また、本発明によれば、光ディスクに記録された情報を再生、または光ディスクに対し
て情報の記録／再生を行う光ディスク装置と、ハードディスクに対して情報の記録／再生
を行うハードディスク装置とを備えた複合型記録再生装置において、前記光ディスク装置
により再生された光ディスクからディスクメニュー画を、取り込み、前記ハードディスク
装置を介してハードディスクに記録させると共に、前記取り込んだディスクメニュー画を
有する光ディスクに装置内部的に付けられたディスク名をメモリに記憶させるメニュー画
取り込み処理部と、前記取り込んだディスクメニュー画を順番にサムネイル表示させるサ
ムネイル表示手段、および前記サムネイル表示された項目を選択するためのハイライト表
示用のＯＳＤを項目に重畳させるＯＳＤ重畳手段を有するメニュー画一覧表示処理部と、
キー操作によって選択されたディスクメニュー画を前記ハードディスクから取り出して全
画面表示させ、前記ディスクメニュー画のハイライトにてタイトル選択されたディスクメ
ニュー画を有する光ディスクが前記ディスク名の光ディスクであれば、この光ディスクか
ら指定されたタイトルをサーチして再生を開始させる再生制御部とを備えたので、ユーザ
個人で所有する光ディスク（特にユーザ作成の光ディスク）などは、枚数が多くなっても
、光ディスクの名前と光ディスクのメニュー画とを登録しておくことで、どの光ディスク
にどのタイトルが入っているかを検索しやすくなり、また、各光ディスクの内容を調べる
のに光ディスクを装置に挿入しなくても調べることができ、その分、ユーザは手間を省け
、使い勝手が良くなる。
【発明を実施するための最良の形態】
【００２３】
以下、添付図面を参照しつつ、本発明の実施の形態について説明する。図１は本発明の
一実施形態に係る複合型記録再生装置の構成を示すブロック図である。
【００２４】
この複合型記録再生装置１は、ＤＶＤ（デジタル・バーサタイル・ディスク）などの光
ディスク１３に対して情報の記録／再生を行うＤＶＤレコーダである光ディスク装置２と
、ＨＤ（ハードディスク）１４に対して情報の記録／再生を行うハードディスク装置３と
、図示しないアンテナからのテレビ放送信号を受信し、所望のチャンネルのテレビ放送信
号を選択して映像音声信号として出力するチューナ４と、光ディスク装置２またはハード
ディスク装置３またはチューナ４から出力された映像音声信号を復号するデコーダ５と、
チューナ４が受信可能な放送チャンネルを記憶すると共にシステムコントローラ１０の動
作に必要なプログラムなどを記憶するフラッシュＲＯＭ６と、デコーダ５で復号された映
像信号をモニタ装置（テレビ受信機など）１２で表示可能な映像信号に変換する映像出力
部７と、デコーダ５で復号された音声信号をモニタ装置１２で出力可能な音声信号に変換
する音声出力部８と、リモコン１１から送信された赤外光の各種の指令信号を受信し、受
信した赤外光の指令信号を電気信号の指令信号に変換し、この指令信号をシステムコント
ローラ１０に入力するリモコン受信部９と、装置全体を制御する前記システムコントロー
ラ１０とを備えている。
【００２５】
なお、本実施形態では、光ディスク装置２は、光ディスク１３に対して情報の記録／再
生を行うＤＶＤレコーダとして説明するが、光ディスク装置としては、光ディスクに記録
された情報の再生のみを行うＤＶＤプレイヤであっても良い。
【００２６】
システムコントローラ１０は、本実施形態の特徴として、光ディスク装置２により再生
された光ディスク１３からディスクメニュー画をサーチするディスクメニュー画サーチ手
段、前記サーチしたディスクメニュー画を取り込みハードディスク装置３を介してハード
ディスク１４に記録させるディスクメニュー画記録手段、および前記取り込んだディスク
メニュー画を有する光ディスクに装置内部的に付けられたディスク名をフラッシュＲＯＭ
６に記憶させるディスク名記憶手段を有するメニュー画取り込み処理部１０１と、前記取
り込んだディスクメニュー画を順番にサムネイル表示させるサムネイル表示手段、および
前記サムネイル表示された項目を選択するためのハイライト表示用のＯＳＤ（オン・スク
リーン・ディスプレイ）を重畳させるＯＳＤ重畳手段を有するメニュー画一覧表示処理部
１０２とを備えている。
【００２７】
また、システムコントローラ１０は、リモコン１１のキー操作によって選択されたディ
スクメニュー画をフラッシュＲＯＭ６に記憶されたディスク名に従ってハードディスク装
置３を介してハードディスク１４から取り出して全画面表示させる全画面表示手段、前記
ディスクメニュー画のハイライトにてタイトル選択されたか否かを判定するタイトル選択
判定手段、前記タイトル選択されたディスクメニュー画を有する光ディスクの挿入要求の
表示を行うディスク挿入要求表示手段、前記ディスク名により正しい光ディスクが挿入さ
れたか否かを判定するディスク判定手段、前記正しい光ディスクが挿入されていないと判
定されたときにエラー表示を行うエラー表示手段、および前記正しい光ディスクが挿入さ
れたと判定されたときに前記正しい光ディスクに対して情報の読み出しを行って指定され
たタイトルをサーチし再生を開始させる再生開始手段を有する再生制御部１０３を備えて
いる。
【００２８】
図２は本実施形態においてＨＤ１４に登録するメニュー画が表示されたモニタ装置１２
の画面の一例を示す図である。図３は本実施形態においてサムネイルで光ディスク名とメ
ニュー画が表示されたモニタ装置１２の画面の一例を示す図である。
【００２９】
例えば、Ａ，Ｂ，Ｃと言う名前の３枚の光ディスクが存在し、光ディスクＡにＡ−１，
Ａ−２，Ａ−３と言うタイトルが有り、光ディスクＢにＢ−１，Ｂ−２，Ｂ−３と言うタ
イトルが有り、光ディスクＣにＣ−１，Ｃ−２，Ｃ−３と言うタイトルが有るとする。メ
ニュー画をＨＤ１４に登録するときは、登録したい光ディスクを光ディスク装置２に挿入
し、光ディスク名をユーザにリモコン１１を操作させて入れさせるようにする。例えば、
登録したい光ディスク名がＡであれば、図２に示すように、光ディスク名をＡとリモコン
１１の操作により入れる。
【００３０】
このようにして光ディスク名を登録していき、次にメニュー画を表示するときは、例え
ば、図３に示すようにサムネイルを使用し、光ディスク名とメニュー画とを同時に出す。
そして、所望の光ディスクが選択されたら全画面表示に切り換えるようにする。例えば、
光ディスクＣが選択されたら、タイトルＣ−１，Ｃ−２，Ｃ−３を示す全画面表示に切り
換えるようにする。もし、タイトルが選択された場合には、当該メニュー画と同じ光ディ
スクが光ディスク装置２に挿入されていた場合は、そのまま指定されたタイトルを再生し
に行き、当該メニュー画と同じ光ディスクが光ディスク装置２に挿入されていない場合は
、ディスク要求画面または禁止画面を表示する。
【００３１】
図４は本実施形態においてシステムコントローラ１０のメニュー画取り込み処理部１０
１によるメニュー画取り込み処理を説明するためのフローチャートである。このフローチ
ャートおよび図１を参照してシステムコントローラ１０のメニュー画取り込み処理部１０
１によるメニュー画取り込み処理について説明する。
【００３２】
光ディスク装置２にはディスクメニュー画を取り込みたい光ディスク１３を挿入してお
く。そして、リモコン１１を操作してディスクメニュー画取り込みの要求が行われると（
ステップＳ１）、システムコントローラ１０におけるメニュー画取り込み処理部１０１の
ディスクメニュー画サーチ手段は、光ディスク装置２により再生された光ディスク（ＤＶ
Ｄ）１３からディスクメニュー画をサーチする（ステップＳ２）。そして、メニュー画取
り込み処理部１０１のディスクメニュー画記録手段は、前記サーチしたディスクメニュー
画を取り込み、ハードディスク装置３を介してＨＤ１４に記録させる（ステップＳ３）。
更に、メニュー画取り込み処理部１０１のディスク名記憶手段は、前記ディスクメニュー
画を取り込んだ光ディスクに装置内部的にディスク名を付け、このディスク名をフラッシ
ュＲＯＭ６に記憶させる（ステップＳ４）。
【００３３】
図５は本実施形態においてシステムコントローラ１０のメニュー画一覧表示処理部１０
２によるメニュー画一覧表示処理を説明するためのフローチャートである。このフローチ
ャートおよび図１を参照してシステムコントローラ１０のメニュー画一覧表示処理部１０
２によるメニュー画一覧表示処理について説明する。
【００３４】
リモコン１１を操作してメニュー画一覧表示が要求されると、システムコントローラ１
０におけるメニュー画一覧表示処理部１０２のサムネイル表示手段は、前記ステップＳ３
で取り込んだディスクメニュー画を順番にサムネイル表示させる（ステップＳ５）。そし
て、メニュー画一覧表示処理部１０２のＯＳＤ重畳手段は、前記サムネイル表示された項
目を選択するためのハイライト表示用のＯＳＤ（オン・スクリーン・ディスプレイ）を項
目に重畳させる（ステップＳ６）。
【００３５】
図６は本実施形態においてシステムコントローラ１０の再生制御部１０３による再生制
御を説明するためのフローチャートである。このフローチャートおよび図１を参照してシ
ステムコントローラ１０の再生制御部１０３による再生制御について説明する。
【００３６】
選択されたディスクメニュー画の遷移処理として以下の処理が順次行われる。システム
コントローラ１０における再生制御部１０３の全画面表示手段は、ユーザによるリモコン
１１のキー操作によって選択された（ステップＳ７）ディスクメニュー画をフラッシュＲ
ＯＭ６に記憶されたディスク名に従ってハードディスク装置３を介してハードディスク３
から取り出して全画面表示させる（ステップＳ８）。
【００３７】
ここで、リモコン１１からのキー入力待ちを行い（ステップＳ９）、キー入力が有り、
リモコン１１のリターンキーが押下されれば、メニュー画一覧に戻るが（ステップＳ１６
）、リモコン１１のリターンキーが押下されなければ、再生制御部１０３のタイトル選択
判定手段は、ディスクメニュー画のハイライトにてタイトル選択されたか否かを判定する
（ステップＳ１１）。
【００３８】
そして、タイトル選択されると、再生制御部１０３のディスク挿入要求表示手段は、前
記タイトル選択されたディスクメニュー画の光ディスク１３のディスク挿入要求の表示を
行う（ステップＳ１２）。次に、再生制御部１０３のディスク判定手段は、前記ディスク
名により、正しい光ディスク１３が装置に挿入されたか否かを判定し（ステップＳ１３）
、前記正しい光ディスク１３が挿入されていないと判定されたとき、再生制御部１０３の
エラー表示手段はエラー表示を行う（ステップＳ１５）。このエラー表示としては、当該
メニュー画と同じ光ディスクが光ディスク装置２に挿入されていない場合であるので、例
えば、ディスク要求画面または禁止画面を表示するようにしても良い。前記正しい光ディ
スク１３が挿入されたと判定されたときは、再生制御部１０３の再生開始手段は、光ディ
スク装置２を駆動させ、前記正しい光ディスク１３に対してリードし、指定されたタイト
ルをサーチし、再生を開始させる（ステップＳ１４）。
【００３９】
以上説明したように本実施形態によれば、ユーザ個人で所有する光ディスクなどは、枚
数が多くなっても、光ディスクの名前と光ディスクのメニュー画とを登録しておくことで
、どの光ディスクにどのタイトルが入っているかを検索しやすくなり、また、各光ディス
クの内容を調べるのに光ディスクを装置に挿入しなくても調べることができ、その分、ユ
ーザは手間を省け、使い勝手が良くなる。
【図面の簡単な説明】
【００４０】
【図１】本発明の一実施形態に係る複合型記録再生装置の構成を示すブロック図である。
【図２】前記実施形態においてＨＤに登録するメニュー画が表示されたモニタ装置の画面の一例を示す図である。
【図３】前記実施形態においてサムネイルで光ディスク名とメニュー画が表示されたモニタ装置の画面の一例を示す図である。
【図４】前記実施形態においてシステムコントローラのメニュー画取り込み処理部によるメニュー画取り込み処理を説明するためのフローチャートである。
【図５】前記実施形態においてシステムコントローラのメニュー画一覧表示処理部によるメニュー画一覧表示処理を説明するためのフローチャートである。
【図６】前記実施形態においてシステムコントローラの再生制御部による再生制御を説明するためのフローチャートである。
【符号の説明】
【００４１】
１    複合型記録再生装置
２    光ディスク装置
３    ハードディスク装置
６    フラッシュＲＯＭ（メモリ）
１０    システムコントローラ
１３    光ディスク
１４    ハードディスク
１０１    メニュー画取り込み処理部（ディスクメニュー画サーチ手段、ディスクメニ
ュー画記録手段、ディスク名記憶手段）
１０２    メニュー画一覧表示処理部（サムネイル表示手段、ＯＳＤ重畳手段）
１０３    再生制御部（全画面表示手段、タイトル選択判定手段、ディスク挿入要求表
示手段、ディスク判定手段、エラー表示手段、再生開始手段）
【図１】
2007018655.tif 000003
【図２】
2007018655.tif 000004
【図３】
2007018655.tif 000005
【図４】
2007018655.tif 000006
【図５】
2007018655.tif 000007
【図６】
2007018655.tif 000008